(57)【特許請求の範囲】
【請求項１】
ディスクが着脱される初期位置と光ピックアップによる走査位置に対してディスクが受け渡しされる搬入位置との間で前後進移動されるディスクトレイが筐体に取り付けられていて、筐体と搬入位置のディスクトレイとの間に形成される不可避的隙間を、それらのうちの一方側部材に具備された樹脂ばねによる荷重を他方側部材に加えてその他方側部材を変位させて消失させることにより、振動音の発生を抑制するようにしたディスク装置において、
上記不可避的隙間が、上記筐体に具備されて上記ディスクトレイの下側に位置する下板部の上面に設けられたガイド突起と、上記ディスクトレイの下面に具備されかつ上記ガイド突起に嵌合してそのガイド突起との共働によりディスクトレイの前後進移動を案内するガイド溝の溝壁面との間の空間によって形成されていると共に、
他方側部材に具備された荷重受部が、ディスクトレイに具備されて上記ガイド溝を形成する下向きに突き出たリブの下端縁でなり、かつ、そのリブの側面が上記溝壁面として形成されており、
上記樹脂ばねが合成樹脂製の上記下板部に一体成形された上向きの樹脂片でなり、その樹脂片の頂部に、上記荷重受部を滑落させて樹脂ばねの復帰方向に移動させ得る勾配を備えかつ樹脂ばねの撓み方向に対し傾斜して上記荷重受部に当接する傾斜面でなる上記作用部が備わり、その樹脂片の上記下板部に対する連設部分が、当該樹脂ばねの撓み領域を延長するＵ字状の曲り部として形成されており、
上記ガイド突起と上記溝壁面とが当接して上記不可避的隙間が消失しているときのディスクトレイの位置が、搬入位置でのディスクトレイの基準位置として定められていて、その基準位置のディスクトレイと上記走査位置との間でディスクが受け渡しされるようになっていることを特徴とするディスク装置。
【請求項２】
ディスクが着脱される初期位置と光ピックアップによる走査位置に対してディスクが受け渡しされる搬入位置との間で前後進移動されるディスクトレイが筐体に取り付けられていて、筐体と搬入位置のディスクトレイとの間に形成される不可避的隙間を、それらのうちの一方側部材に具備された樹脂ばねによる荷重を他方側部材に加えてその他方側部材を変位させて消失させることにより、振動音の発生を抑制するようにしたディスク装置において、
他方側部材に具備された荷重受部に当接する樹脂ばねの作用部が、樹脂ばねの撓み方向に対し傾斜した傾斜面でなることを特徴とするディスク装置。
【請求項３】
上記樹脂ばねの作用部を形成している上記傾斜面が、上記荷重受部を滑落させて樹脂ばねの復帰方向に移動させ得る勾配を備えている請求項２に記載したディスク装置。
【請求項４】
上記荷重受部が、ディスクトレイに具備されて下向きに突き出たリブの下端縁でなり、上記樹脂ばねが、上記筐体に具備されて上記ディスクトレイの下側に位置する下板部に一体成形された上向きの樹脂片でなり、その樹脂片の頂部に上記作用部が備わっている請求項２又は請求項３に記載したディスク装置。
【請求項５】
上記不可避的隙間が、上記下板部の上面に設けられたガイド突起と、上記ディスクトレイの下面に具備されかつ上記ガイド突起に嵌合してそのガイド突起との共働によりディスクトレイの前後進移動を案内するガイド溝の溝壁面との対向空間によって形成されていると共に、そのガイド溝の溝壁面が、上記リブの側面によって形成されている請求項４に記載したディスク装置。
【請求項６】
上記樹脂ばねは、上記樹脂片の下板部に対する連設部分が、当該樹脂ばねの撓み領域を延長するＵ字状の曲り部として形成されている請求項５に記載したディスク装置。
【発明の詳細な説明】
【技術分野】
【０００１】
本発明は、ディスク装置、特に、筐体とディスクトレイとの間に形成されている不可避的隙間を消失させることによって振動音の発生を抑制するという対策を講じたディスク装置に関する。
【背景技術】
【０００２】
本発明の実施形態に係るディスク装置を示した図１を利用してディスク装置の基本的な構成や作用を説明する。
【０００３】
このディスク装置は、筐体１にディスクトレイ５が取り付けられていて、ディスクトレイ５が図１に仮想線で示した初期位置と同図に実線で示した搬入位置との間で前後進移動される。そして、初期位置ではディスクトレイ５に対してディスクＤが着脱され、搬入位置では光ピックアップ２による走査位置に対してディスクＤが受け渡しされる。搬入位置のディスクトレイ５と光ピックアップ２による走査位置との間でのディスクＤの受け渡しは、筐体１に昇降可能に取り付けられたディスクチャッキング機構（不図示）の上下動を介して行われる。すなわち、ディスクチャッキング機構はモータＭによって回転駆動されるターンテーブル３１やその相手方であるチャッキングプレート（不図示）などを備えている。そして、ディスクトレイ５から走査位置へのディスクＤの受け渡しは、ディスクＤを搭載したディスクトレイ５が搬入位置まで前進すると、ディスクチャッキング機構が上動することにより、ディスク受渡し箇所で待機していたターンテーブル３１が上昇してディスクＤをディスクトレイ５から受け取って浮き上がらせると共に、その上方に回転自在に配備されているチャッキングプレートにディスクＤを押し付けることにより、ディスクＤが、ターンテーブル３１とチャッキングプレートとに挟持されて走査位置に保持される。こうしてディスクＤが走査位置に保持されている状態のときに、モータＭの出力でディスクＤが回転する一方で、光ピックアップ２がディスクＤの半径方向に沿って移動してディスクＤの記録面が走査される。また、走査位置からディスクトレイ５へのディスク５の受け渡しは、ディスクチャッキング機構が下動することにより、ディスクＤが載架されているターンテーブル３１の下降途中でそのディスクＤをディスクトレイ５によって受け取らせることによって行われる。
【０００４】
このディスク装置において、ディスクトレイ５は、筐体１に対して前後進移動されるので、その前後進移動の円滑性を確保することのために、筐体１とディスクトレイとの間、特に摺動部分には不可避的隙間が形成されている。この不可避的隙間は、モータＭによるターンテーブル３１の回転時に、重心位置が偏ったディスク（遍重心ディスク）が回転すると、ディスクトレイ１が振動を起こして振動音を発生する原因になる。
【０００５】
そこで、この振動音を抑えるために、搬入位置のディスクトレイに荷重を加えてそのディスクトレイを変位させることにより、ディスクトレイの所定箇所を筐体側の所定箇所に当接させて上記不可避的隙間を消失させるという方法が知られている。そして、その荷重を樹脂ばねで得る場合の対策が種々提案されたり、試みられたりしている。
【０００６】
図６は従来試みられた対策を示している。このものは、ディスクトレイ５に備わっている下向きに突き出たリブ５６を荷重受部５７としているのに対し、合成樹脂製の筐体１に備わってディスクトレイ５の下側に位置している下板部１１に一体成形した樹脂ばね６としての上向きの樹脂片の頂部に作用部６１を具備させ、その作用部６１を上記荷重受部５７に弾圧状態で当接させて荷重受部５７を矢印Ｆのようにディスクトレイ５の幅方向にのみ押圧させている。なお、図中仮想線は、無荷重時の樹脂ばね６の位置を示し、実線は、作用部６１が荷重受部５７を弾圧しているときの樹脂ばね６の位置を示している。
【０００７】
一方、従来例として、ディスクトレイの側面に水平な樹脂ばね片を設けておき、搬入位置に位置しているディスクトレイの上記樹脂ばね片を筐体側に設けた突起が弾圧状態で押圧することによって上記荷重を発生させるものがあった（たとえば特許文献１参照）。
【０００８】
他の従来例として、ディスク装置の表面カバーに設けた突起によって、搬入位置のディスクトレイの端部を垂直下方に押し付けることによって上記荷重を発生させるものもあった（たとえば特許文献２参照）。
【０００９】
【特許文献１】特開２００３−１２３４５３号公報
【特許文献２】特開２００２−２３０８８０号公報
【発明の開示】
【発明が解決しようとする課題】
【００１０】
しかしながら、図６で説明した対策のように、樹脂ばね６の作用部６１を荷重受部５７に弾圧状態で当接させて荷重受部５７を矢印Ｆのようにディスクトレイ５の幅方向にのみ押圧させたものでは、ディスクトレイ５と筐体１との間に形成される不可避的隙間を左右方向（ディスクトレイ５の幅方向に一致する）でのみ消失させ得るだけであって、垂直方向などではその不可避的隙間を消失させることができない。そのため、不可避的隙間の存することが原因で発生する振動音を満足できる程度に抑制することが困難であった。
【００１１】
ところで、樹脂ばねによって物体に荷重を加えた場合、一定の応力下でも時間の経過と共に変形量が増加することがあり、この現象はクリープと称されている。
【００１２】
図６で説明した対策についても、樹脂ばね６の作用部６１が荷重受部５７に弾圧状態で当接しているときの時間の経過によって樹脂ばね６にクリープが発生すると、樹脂ばね６による弾圧力がディスクトレイ５に加わらなくなるという現象、すなわち荷重抜けという現象が起こり、そのような荷重抜けが起こると、樹脂ばね６の作用部６１がディスクトレイ５側の荷重受部５７を矢印Ｆの方向に押圧しなくなってしまい、そのために、振動によって上記した不可避的隙間が再生されて振動音が発生するという状況に陥るという問題があった。この問題は、特許文献１に記載されている従来例についても同様に生じる。また、特許文献２に記載されている従来例についても、カバーの突起が搬入位置のディスクトレイの端部を垂直下方に押し付ける構成としているので、カバーの突起形成箇所にクリープが生じることによって同様の問題が生じる。
【００１３】
本発明は、以上の問題に鑑みてなされたものであり、ディスクトレイと筐体との間に形成される不可避的隙間を左右方向だけでなく、垂直方向などでも消失させることができるようにすることによって、不可避的隙間の存することが原因で発生する振動音の抑制効果を高めることのできるディスク装置を提供することを目的とする。また、本発明は、樹脂ばねがクリープを起こしたとしても、その樹脂ばねの作用部の形状的な特徴によって荷重抜けを防ぐことができるようにしたディスク装置を提供することを目的とする。
【課題を解決するための手段】
【００１４】
本発明に係るディスク装置は、ディスクが着脱される初期位置と光ピックアップによる走査位置に対してディスクが受け渡しされる搬入位置との間で前後進移動されるディスクトレイが筐体に取り付けられていて、筐体と搬入位置のディスクトレイとの間に形成される不可避的隙間を、それらのうちの一方側部材に具備された樹脂ばねによる荷重を他方側部材に加えてその他方側部材を変位させて消失させることにより、振動音の発生を抑制するようにしたディスク装置において、他方側部材に具備された荷重受部に当接する樹脂ばねの作用部が、樹脂ばねの撓み方向に対し傾斜した傾斜面でなる、というものである。
【００１５】
この構成であると、樹脂ばねがクリープを起こしていないときには、作用部に樹脂ばねの復帰方向に向く力と荷重受部を上方に押し上げる向きの力が発生する。すなわち、樹脂ばねの作用部が他方側部材の荷重受部に当接してその荷重受部に樹脂ばねによる荷重が加わっているときには、荷重受部に、樹脂ばねの復帰方向に向く力と荷重受部を上方に押し上げる向きの力とが発生し、それらの力は互いに直交した方向に向く。そのため、ディスクトレイと筐体との間の不可避的隙間が互いに直交する２軸方向、たとえばディスクトレイの幅方向と垂直方向との２軸方向で消失することになり、そのことが振動音の発生を効果的に抑制することに役立つ。
【００１６】
本発明では、上記樹脂ばねの作用部を形成している上記傾斜面が、上記荷重受部を滑落させて樹脂ばねの復帰方向に移動させ得る勾配を備えていることが望ましい。これによれば、一方側部材に具備されている樹脂ばねがクリープを起こしたとしても、その樹脂ばねの作用部である傾斜面に乗り掛かっている他方側部材の荷重受部がその傾斜面を滑り落ちようとするために、荷重受部に樹脂ばねの復帰方向に向く一定の荷重が加えられた状態が維持され、それによって荷重抜けが起こりにくくなって振動音が抑制される。
【００１７】
本発明では、上記荷重受部が、ディスクトレイに具備されて下向きに突き出たリブの下端縁でなり、上記樹脂ばねが、上記筐体に具備されて上記ディスクトレイの下側に位置する下板部に一体成形された上向きの樹脂片でなり、その樹脂片の頂部に上記作用部が備わっているという構成を採用することができる。これによれば、図６で説明した対策に加えて、樹脂ばねの作用部を、図６に示した垂直面から傾斜面に変更するだけの簡単な構成によって、樹脂ばねがクリープを起こしても不可避的隙間が再生が阻止されて振動音が抑制される。
【００１８】
本発明では、上記不可避的隙間が、上記下板部の上面に設けられたガイド突起と、上記ディスクトレイの下面に具備されかつ上記ガイド突起に嵌合してそのガイド突起との共働によりディスクトレイの前後進移動を案内するガイド溝の溝壁面との対向空間によって形成されていると共に、そのガイド溝の溝壁面が、上記リブの側面によって形成されている、という構成を採用することが望ましい。これによれば、リブがガイド溝の溝壁面と荷重受部とを形成することに役立つので、荷重受部を形成するリブと、ガイド溝の溝壁面を形成するリブとを別々に設ける必要がなくなって、それだけディスクトレイの構成の複雑化が回避される。
【００１９】
本発明において、上記樹脂ばねは、上記樹脂片の下板部に対する連設部分が、当該樹脂ばねの撓み領域を延長するＵ字状の曲り部として形成されていることが望ましく、そのようにしておくと、樹脂片の高さの割りに、樹脂片の弾性変形に使われる撓み領域を長く確保することができるようになってクリープを生じにくい樹脂ばねを形成することが可能になる。
【００２０】
本発明は、下記の構成を採用することによっていっそう具体化される。すなわち、ディスクが着脱される初期位置と光ピックアップによる走査位置に対してディスクが受け渡しされる搬入位置との間で前後進移動されるディスクトレイが筐体に取り付けられていて、筐体と搬入位置のディスクトレイとの間に形成される不可避的隙間を、それらのうちの一方側部材に具備された樹脂ばねによる荷重を他方側部材に加えてその他方側部材を変位させて消失させることにより、振動音の発生を抑制するようにしたディスク装置において、上記不可避的隙間が、上記筐体に具備されて上記ディスクトレイの下側に位置する下板部の上面に設けられたガイド突起と、上記ディスクトレイの下面に具備されかつ上記ガイド突起に嵌合してそのガイド突起との共働によりディスクトレイの前後進移動を案内するガイド溝の溝壁面との対向空間によって形成されていると共に、他方側部材に具備された荷重受部が、ディスクトレイに具備されて上記ガイド溝を形成する下向きに突き出たリブの下端縁でなり、かつ、そのリブの側面が上記溝壁面として形成されており、上記樹脂ばねが合成樹脂製の上記下板部に一体成形された上向きの樹脂片でなり、その樹脂片の頂部に、上記荷重受部を滑落させて樹脂ばねの復帰方向に移動させ得る勾配を備えかつ樹脂ばねの撓み方向に対し傾斜して上記荷重受部に当接する傾斜面でなる上記作用部が備わり、その樹脂片の上記下板部に対する連設部分が、当該樹脂ばねの撓み領域を延長するＵ字状の曲り部として形成されており、上記ガイド突起と上記溝壁面とが当接して上記不可避的隙間が消失しているときのディスクトレイの位置が、搬入位置でのディスクトレイの基準位置として定められていて、その基準位置のディスクトレイと上記走査位置との間でディスクが受け渡しされるようになっている。これによれば、樹脂ばねがクリープを起こしていないときは勿論、クリープを起こしたときでも、ディスクトレイがその搬入位置で基準位置に配備されるようになるので、ディスクトレイと上記走査位置との間でのディスク受け渡しの確実性が向上する。
【発明の効果】
【００２１】
以上のように、本発明によれば、ディスクが着脱される初期位置と光ピックアップによる走査位置に対してディスクが受け渡しされる搬入位置との間で前後進移動されるディスクトレイが筐体に取り付けられていて、筐体と搬入位置のディスクトレイとの間に形成される不可避的隙間を、それらのうちの一方側部材に具備された樹脂ばねによる荷重を他方側部材に加えてその他方側部材を変位させて消失させることにより、振動音の発生を抑制するようにしたディスク装置において、樹脂ばねを利用して振動音の抑制効果をさらに高めることが可能になるだけでなく、樹脂ばねがクリープを起こしてその樹脂ばねの弾圧力が荷重受部に作用しなくなったような場合でも、樹脂ばねの作用部の形状的な特徴によって荷重抜けが防止されて振動音の発生が抑制されるようになり、ディスク装置の静音性能が向上する。
【発明を実施するための最良の形態】
【００２２】
図１は本発明の実施形態に係るディスク装置の概略平面図、図２は図１のＩＩ−ＩＩ線に沿う部分の概略拡大断面図、図３は図１のＩＩＩ−ＩＩＩ線に沿う部分の概略拡大断面図である。
【００２３】
図１のディスク装置において、筐体１は左右に側壁１２をそれぞれ備えていて、それらの側壁１２のそれぞれには図２のようにディスクトレイ５の下側に位置する下板部１３が連設されていて、それらの下板部１３の上面の直線状に並んだ前後方向複数箇所に複数のリブ状の凸部でなるガイド突起１４が振り分けて備わっているのに対し、ディスクトレイ５の下面の幅方向両側には、図１のように、前後方向に延びるガイド溝５３と前後方向に延びるガイドリブ５４とが備わっている。そして、ガイド溝５３を筐体１の一方側ガイド突起１４に図２のように嵌合し、かつ、ガイドリブ５４を図１のように筐体１の他方側ガイド突起１４に沿わせることによって、ディスクトレイ５が筐体１に既述の初期位置と搬入位置との間で前後進移動可能に取り付けられている。
【００２４】
図２又は図３のように、ディスクトレイ５のガイド溝５３の溝幅寸法は、筐体１側の上記ガイド突起１４の幅（厚さ）寸法よりもやゝ長い寸法に定められていて、それら両者の寸法差によって、ガイド溝５３とガイド突起１４との嵌合箇所に、ディスクトレイ５の円滑な前後進移動を可能にするための不可避的隙間が形成されている。すなわち、ガイド溝５３は、ディスクトレイ５から下方へ突出された左右のリブ５５，５６によって形作られていて、ガイド溝５３の溝壁面５３ａ，５３ｂ、具体的には、ガイド溝５３を形成している左右のリブ５５，５６のそれぞれの内側面とガイド突起１４との間に形成されている空間が上記不可避的隙間として規定されていて、ディスクトレイ５が搬入位置に位置しているときには、図３に示した樹脂ばね６（後述する）による矢印Ｆ方向の荷重を受けたディスクトレイ５が同図の右方へ強制的に押されて図２のようにガイド溝５３の溝壁面５３ａがガイド突起１４に当接して溝壁面５３ａとガイド突起１４との間の不可避的隙間が消失している。そして、樹脂ばね６の荷重がディスクトレイ５に加えられることによってガイド溝５３の片側の溝壁面５３ａとガイド突起１４との間の不可避的隙間が消失しているときのディスクトレイ５の位置が、搬入位置でのディスクトレイ５の基準位置として定められていて、その基準位置のディスクトレイ５と冒頭で説明した走査位置との間でディスクＤが受け渡しされるようになっている。
【００２５】
次に、図３のように、樹脂ばね６は、筐体１の下板部１３に一体成形された上向きの樹脂片でなり、その樹脂片の頂部に、平坦な傾斜面でなる作用部６１が備わっているのに対し、上記ガイド溝５３を形成している外側のリブ５６の下端縁が作用部６１の相手方部位としての荷重受部５７を形成している。この実施形態において、樹脂片の頂部の作用部６１を形成している傾斜面は、ディスクトレイ５が搬入位置に位置しているときに荷重受部５７に弾圧状態で当接していると共に、樹脂ばねの撓み方向（図３では水平方向）に対して傾斜していて、しかも、樹脂ばね６がクリープを起こして荷重抜けを生じたときには、荷重受部５７を滑落させて樹脂ばね６の復帰方向に移動させ得る勾配を備えている。また、樹脂片の下板部に対する連設部分は、樹脂ばね６の撓み領域を延長するＵ字状の曲り部６２として形成されている。
【００２６】
その他の事項は、冒頭で説明した従来のディスク装置の場合と同様である。
【００２７】
この実施形態によると、樹脂ばね６がクリープを起こしていないときには、ディスクトレイ５側の作用部５７に樹脂ばね６の復帰方向に向く矢印Ｆ方向の力と作用部５７を上方に押し上げる向きの力（矢印Ｕ）とが発生する。そのため、ディスクトレイ５がその搬入位置で基準位置に位置決めされる。特に、図１に示したように、筐体１の側壁１２にディスクトレイ５の浮き上がりを抑える突片１５を形成しているので、作用部５７を上方に押し上げる向きの力（矢印Ｕ）によってディスクトレイ５が押し上げられてその突片１５に当接し、その突片１５とディスクトレイ５との間の不可避的隙間が消失する。したがって、ディスクトレイ５の基準位置が水平方向と垂直方向の２軸方向で規制されるようになって、走査位置との間でのディスクＤの受け渡しがいっそう正確に行われるようになるだけでなく、それらの不可避的隙間が存することに起因する振動音が抑制される。なお、図２において、仮想線は無荷重時の樹脂ばね６の位置を示し、実線は作用部６１が荷重受部５７を弾圧しているときの樹脂ばね６の位置を示している。
【００２８】
一方、樹脂ばね６がクリープを起こして荷重抜けを生じた場合には、その樹脂ばね６の作用部６１である傾斜面に乗り掛かっているディスクトレイ５側の荷重受部５７が、その傾斜面を滑り落ちようとするために、荷重受部５７に樹脂ばね６の復帰方向に向く矢印Ｆ方向の一定の荷重が加えられた状態が維持され、それにより荷重抜けが起こりにくくなって振動音が抑制される。
【００２９】
この実施形態では、樹脂ばね６を形成している樹脂片に曲り部６２を具備させてあるので、樹脂片の高さの割りに、樹脂片の弾性変形に使われる撓み領域が長くなってクリープを生じにくい樹脂ばね６が形成されている。
【００３０】
この実施形態では、作用部６１を筐体１の下板部１３に一体に成形した樹脂ばね６の頂部に設け、その相手方部位である荷重受部５７をディスクトレイ５側に設けてあるけれども、この関係は、たとえばディスクトレイ側に樹脂ばねを設けてその樹脂ばねに作用部を具備させ、筐体側に荷重受部を具備させることも可能である。その事例を図４に説明的に示してある。
【００３１】
すなわち、図４の事例では、ディスクトレイ５の前端に前方へ突出する樹脂ばね６を一体成形し、その樹脂ばね６に傾斜面でなる作用部６１を形成してあると共に、筐体１側に荷重受部５７を具備させることによって、作用部６１を荷重受部５７に弾圧状態で当接してある。これによれば、ディスクトレイ５が搬入位置に位置しているときに、ディスクトレイ５に左右方向と垂直方向との荷重が加わるので、そのディスクトレイ５と筐体との間に存する不可避的隙間が消失して、ディスクトレイ５と筐体とが左右方向及び垂直方向とで当接して振動音の発生が抑制される。
【００３２】
図５は他の事例を示している。この事例では、筐体１側に樹脂ばね６を設け、その樹脂ばね６の傾斜面でなる作用部６１が、ディスクトレイ５の前端コーナ部によって形成されている荷重受部５７にディスクトレイ５の搬入位置で弾接するようにしてある。これによっても、ディスクトレイ５が搬入位置に位置しているときに、ディスクトレイ５に左右方向の力Ｆと垂直方向の力Ｄとが加わるので、そのディスクトレイ５と筐体１との間に存する不可避的隙間が消失して、ディスクトレイ５と筐体１とが左右方向及び垂直方向とで当接して振動音の発生が抑制される。
【図面の簡単な説明】
【００３３】
【図１】本発明の実施形態に係るディスク装置の概略平面図である。
【図２】図１のＩＩ−ＩＩ線に沿う部分の概略拡大断面図である。
【図３】図１のＩＩＩ−ＩＩＩ線に沿う部分の概略拡大断面図である。
【図４】（Ａ）は要部の変形例を概略平面図で示した説明図、（Ｂ）は（Ａ）のＩＶＢ−ＩＶＢ線に沿う部分の拡大断面図である。
【図５】（Ａ）は要部の他の変形例を概略平面図で示した説明図、（Ｂ）は（Ａ）のＶＢ−ＶＢ線に沿う部分の拡大断面図である。
【図６】従来のディスク装置の要部の概略断面図である。
【符号の説明】
【００３４】
Ｄ  ディスク
１  筐体
２  光ピックアップ
５  ディスクトレイ
６  樹脂ばね
１３  下板部
１４  ガイド突起
５３  ガイド溝
５３ａ，５３ｂ  ガイド溝の溝壁面
５６  リブ
６１  作用部
６２  曲り部
【図１】
0003713714.tif 000002
【図２】
0003713714.tif 000003
【図３】
0003713714.tif 000004
【図４】
0003713714.tif 000005
【図５】
0003713714.tif 000006
【図６】
0003713714.tif 000007